(57)【要約】【課題】モニタすべき組電池のセル数が増加しても、装置構成の規模の増加を最小限に抑えることができる電圧モニタ装置を提供すること。【解決手段】直列接続された複数個のセルＶ１〜Ｖ１１０に対しスイッチ回路Ａ−１〜Ａ−２２を接続し、これらスイッチ回路により所定数のセルの端子を順次選択する。これにより選択された所定数のセルの端子は電圧保持回路Ｂに接続される。電圧保持回路Ｂは、スイッチ回路Ａ−１〜Ａ−２２により選択されたセルと同数のコンデンサを有し、このコンデンサにより各セルの端子電圧を保持する。スイッチ回路Ｃは、スイッチ回路Ａ−１〜Ａ−２２の選択動作に対し相補的に作動することにより、電圧保持回路Ｂに保持された端子電圧を差動増幅器ＤおよびＡ／Ｄ変換器Ｅからなる測定回路に伝達する。【選択図】　　　図１
2004085208.tif 000002
【特許請求の範囲】
【請求項１】
直列接続された複数個のセルのうち、１または２以上の所定数のセルの端子を選択する第１のスイッチ回路と、
前記第１のスイッチ回路により選択されたセルと同数のコンデンサを有し、前記コンデンサにより前記所定数のセルの端子電圧を保持する電圧保持回路と、
前記第１のスイッチ回路の選択動作に対し相補的に差動して前記電圧保持回路に保持された前記端子電圧を伝達する第２のスイッチ回路と、
前記第２のスイッチ回路を介し前記電圧保持回路から前記端子電圧を入力して該端子電圧を測定する測定回路と、
を備えたことを特徴とする電圧モニタ装置。
【請求項２】
前記第１のスイッチ回路が、
直列接続された前記複数個のセルのうちの一端側に位置するセルと他端側に位置するセルとの間を往復するように、前記所定数のセルを単位として前記複数個のセルを順次的に選択することを特徴とする請求項１に記載された電圧モニタ装置。
【請求項３】
前記測定回路が、
前記第２のスイッチ回路を介して入力した端子電圧を差分増幅する差分増幅回路と、
前記差分増幅回路により差分増幅された端子電圧をアナログ／デジタル変換する変換回路と、
を備えたことを特徴とする請求項１または２に記載された電圧モニタ装置。
【発明の詳細な説明】
【０００１】
【発明の属する技術分野】
本発明は、直列接続された複数個のセル（電池）の端子電圧をモニタするための電圧モニタ装置に関する。
【０００２】
【従来の技術】
従来、電気モータを動力源として有する電気自動車の電源として、複数のセル（電池）からなる組電池が使用されている。このセルとしては、例えばリチウムイオン電池が使用されており、約１１０個程のセルを直列接続することにより、約４００Ｖ程度の電源電圧を得ている。このように複数のセルを直列に接続した場合、各セルの特性にバラツキが存在すると、一部のセルが過充電状態や過放電状態となる虞がある。このような状態に陥ることを避けるため、各セルの電圧をモニタすることが行われており、そのための電圧モニタ装置がある。
【０００３】
ところで、電気自動車の場合、上述のように高電圧の電源を使用するため、安全を確保する必要上、電圧をモニタする場合には組電池と間を電気的に絶縁する等の安全対策が必要になる。このような要請を満足しながら組電池をなすセル電圧をモニタする従来技術として、例えば特開２００１−２８９８８６号公報に開示された技術が知られている。
【０００４】
図４に、上述の公報に開示された技術の構成を示す。この従来技術は、いわゆるフライングキャパシタ方式を用いたものであって、直列接続された複数のセル（電池）を複数の電池ブロック１１０〜１１ｎ（ｎは自然数）に分割し、これら電池ブロック１１０〜１１ｎに対し、スイッチ１２０〜１２ｎ、コンデンサブロック１３０〜１３ｎ、スイッチ１４０〜１４ｎを設け、これらスイッチ１４０〜１４ｎに対し差分演算回路１５０とＡＤ変換器１６０を共通に設けている。
【０００５】
この従来技術によれば、例えば電池ブロック１１０の電圧をモニタする場合、スイッチ１２０をオン状態（閉成）とし、スイッチ１４０をオフ状態（開放）とすることにより、コンデンサブロック１３０に電池ブロック１１０の電圧を保持させる。そして、スイッチ１２０をオフ状態とし、スイッチ１４０をオン状態とすることにより、コンデンサブロック１３０に保持された電圧が差分演算回路１５０に与えられて差分増幅され、各セルの電圧が得られる。この電圧はＡＤ変換器１６０によりアナログ／デジタル変換されて出力される。
【０００６】
【発明が解決しようとする課題】
ところで、上述の従来技術によれば、電池ブロック１１０〜１１ｎに対し、スイッチ１２０〜１２ｎ、コンデンサブロック１３０〜１３ｎ、およびスイッチ１４０〜１４ｎが設けられているので、電池ブロックの数が増加すると、それに比例して装置構成が大規模化し、装置コストが大幅に上昇するという問題がある。この発明は、上記事情に鑑みてなされたもので、モニタすべき組電池のセル数が増加しても、装置構成の規模の増加を最小限に抑えることができる電圧モニタ装置を提供することを目的とする。
【０００７】
【課題を解決するための手段】
上記課題を解決するため、この発明は以下の構成を有する。
即ち、請求項１に記載された発明に係る電圧モニタ装置は、直列接続された複数個のセルのうち、１または２以上の所定数のセルの端子を選択する第１のスイッチ回路（例えば後述するスイッチ回路Ａ−１〜Ａ−２２に相当する構成要素）と、前記第１のスイッチ回路により選択されたセルと同数のコンデンサを有し、前記コンデンサにより前記所定数のセルの端子電圧を保持する電圧保持回路（例えば後述する電圧保持回路Ｂに相当する構成要素）と、前記第１のスイッチ回路の選択動作に対し相補的に作動して前記電圧保持回路に保持された前記端子電圧を伝達する第２のスイッチ回路（例えば後述するスイッチ回路Ｃに相当する構成要素）と、前記第２のスイッチ回路を介し前記電圧保持回路から前記端子電圧を入力して該端子電圧を測定する測定回路（例えば後述する差動増幅器ＤおよびＡ／Ｄ変換器Ｅからなる構成要素）と、を備えたことを特徴とする。
【０００８】
この構成によれば、直列接続された複数のセルのうち、第１のスイッチ回路により選択された所定数のセルが、この第１のスイッチ回路を介して電圧保持回路に接続され、セルの端子電圧が電圧保持回路に保持される。セルの端子電圧が電圧保持回路に保持されると、第１のスイッチ回路がオフ状態とされ、第２のスイッチ回路がオン状態とされる。これにより電圧保持回路に保持されたセルの端子電圧が測定回路に供給され、各セルの端子電圧が測定される。同様に、第１のスイッチ回路により、残りの複数のセルの中から所定数のセルを選択し、電圧保持回路にそのセルの端子電圧を保持して測定が行われる。ここで、測定対象の所定数のセルが変わっても、電圧保持回路と第２のスイッチ回路は共用される。従って、組電池のセル数が増加しても、電圧保持回路と第２のスイッチ回路の構成規模を拡大する必要がなく、よって装置規模の増加を抑えることが可能になる。
【０００９】
請求項２に記載された発明は、請求項１に記載された電圧モニタ装置において、前記第１のスイッチ回路が、直列接続された前記複数個のセルのうちの一端側に位置するセルと他端側に位置するセルとの間を往復するように、前記所定数のセルを単位として前記複数個のセルを順次的に選択すること（例えば後述する図２に示すフローに相当する要素）を特徴とする。
この構成によれば、第１のスイッチ回路が選択対象（セル）を移す場合、第１のスイッチ回路から電圧保持回路および第２のスイッチ回路を介して測定回路に至る信号経路上の電圧変化が小さく抑えられる。従ってこの信号経路に浮遊容量が存在していても、電圧変化に伴う電流が小さく抑えられ、この電流に起因する損失も小さく抑えられる。
【００１０】
請求項３に記載された発明は、請求項１または２に記載された電圧モニタ装置において、前記測定回路が、前記第２のスイッチ回路を介して入力した端子電圧を差分増幅する差分増幅回路（例えば後述する差動増幅器Ｄに相当する構成要素）と、前記差分増幅回路により差分増幅された端子電圧をアナログ／デジタル変換する変換回路（例えば後述するＡ／Ｄ変換器Ｅに相当する構成要素）と、を備えたことを特徴とする。
この構成によれば、差動増幅器により端子間の差分電圧が抽出され、各セルのアナログ量の電圧が得られる。この電圧は、Ａ／Ｄ変換器によりデジタル量に変換され、各セルの電圧を表すデータとして出力される。
【００１１】
【発明の実施の形態】
以下、本発明の実施形態を図面を参照して説明する。
（実施の形態１）
図１に、本実施の形態１に係るフライングキャパシタ方式による電圧モニタ装置の構成を示す。同図において、直列接続された複数個のセルＶ１〜Ｖ１１０は組電池を構成し、例えば電気自動車等の動力用モータの電源として使用される。１個のセルの電圧は、例えば約３．６Ｖであり、組電池として発生する電圧は約４００Ｖにものぼる。
【００１２】
セルＶ１〜Ｖ１１０の端子には、スイッチ回路Ａ−１〜Ａ−２２（第１のスイッチ回路）が接続される。スイッチ回路Ａ−１〜Ａ−２２は、セルＶ１〜Ｖ１１０のうち、５個（所定数）のセルの端子を同時に選択するためのものであり、抵抗群とスイッチ群から構成される。具体的には、スイッチ回路Ａ−１の場合、セルＶ１〜Ｖ５の各端子に一端がそれぞれ接続された抵抗Ｒ１〜Ｒ６と、これら抵抗Ｒ１〜Ｒ６の他端に一方の電極が接続されたスイッチＳＷ１〜ＳＷ６から構成される。スイッチＳＷ１〜ＳＷ６としては例えばフォトＭＯＳリレーが用いられる。他のスイッチ回路Ａ−２〜Ａ−２２についてもスイッチ回路Ａ−１と同様に構成される。以下では、説明の便宜上、スイッチ回路Ａ−２〜Ａ−２２を構成する抵抗群およびスイッチ群についてもスイッチ回路Ａ−１と同様に抵抗Ｒ１〜Ｒ６およびスイッチＳＷ１〜ＳＷ６とする。
【００１３】
スイッチ回路Ａ−１〜Ａ−２２を構成するスイッチＳＷ１〜ＳＷ６の他方の電極側には配線Ｈ１〜Ｈ６を介して電圧保持回路Ｂが接続される。この電圧保持回路Ｂは、スイッチ回路Ａ−１〜Ａ−２２により選択されるセルと同数の所定数のコンデンサＣＰ１〜ＣＰ５を有し、これらコンデンサＣＰ１〜ＣＰ５により所定数のセルの端子電圧を保持するように構成されている。具体的には、コンデンサＣＰ１の電極は１対の配線Ｈ１，Ｈ２を介してスイッチ回路Ａ−１〜Ａ−２２のそれぞれを構成するスイッチＳＷ１，ＳＷ２の各電極に共通接続される。同様に、コンデンサＣＰ２〜ＣＰ５の各電極は、配線Ｈ２〜Ｈ６を介してスイッチ回路Ａ−１〜Ａ−２２のそれぞれを構成するスイッチＳＷ２〜ＳＷ６の各電極に共通接続される。換言すれば、複数のスイッチ回路Ａ−１〜Ａ−２２に対して１つ電圧保持回路Ｂが設けられ、この電圧保持回路Ｂが複数のスイッチ回路Ａ−１〜Ａ−２２に共有された構成となっている。
【００１４】
電圧保持回路Ｂは、スイッチ回路Ｃ（第２のスイッチ回路）を介して差動増幅器Ｄの入力部に接続される。このスイッチ回路Ｃは、電圧保持回路Ｂをなすコンデンサの電極端子（即ち配線Ｈ１〜Ｈ６）と差動増幅器Ｄの入力部との間に接続されたスイッチ群から構成され、上述のスイッチ回路Ａ−１〜Ａ−２２の選択動作に対し相補的に作動して開閉し、電圧保持回路Ｂに保持された端子電圧を伝達する。差動増幅器Ｄの出力部にはＡ／Ｄ変換器Ｅの入力部が接続される。これら差動増幅器ＤおよびＡ／Ｄ変換器Ｅは、端子電圧を測定するための測定回路（符号なし）を構成する。なお、特に図示していないが、スイッチ回路Ａ−１〜Ａ−２２およびスイッチ回路Ｃの開閉動作を制御するためのスイッチ制御回路が設けられている。
【００１５】
次に、この実施の形態１に係る電圧モニタ装置の動作を、図２に示すフローに沿って説明する。
なお、変数ｎ（ｎ；１〜２２の自然数）を用いて、図１に示すスイッチ回路Ａ−１〜Ａ−２２をスイッチ回路Ａ−ｎと表すことにする。
初期状態では、スイッチ回路Ａ−１〜Ａ−２２およびスイッチ回路Ｃの全てがオフ状態（開放状態）に制御され、セルＶ１〜Ｖ１１０側と差動増幅器Ｄ側とが電気的に絶縁されている。この初期状態から、変数ｎに「１」を設定し、制御対象をスイッチ回路Ａ−１（ｎ＝１）に設定する（ステップＳ０１）。
【００１６】
続いて、制御対象として設定されたスイッチ回路Ａ−１をオン状態に制御する（ステップＳ０２）。これにより、セルＶ１〜Ｖ５の端子電圧がスイッチ回路Ａ−１内の抵抗Ｒ１〜Ｒ６およびスイッチＳＷ１〜ＳＷ６と配線Ｈ１〜Ｈ６を介して電圧保持回路Ｂに供給される。そして、この電圧保持回路Ｂを構成するコンデンサＣＰ１〜ＣＰ５がセルＶ１〜Ｖ５の端子電圧により充電され、この端子電圧がこれらのコンデンサに保持される。この時点では、スイッチ回路Ｃがオフ状態にあるので、セルＶ１〜Ｖ１１０側と差動増幅器Ｄ側との間は依然として電気的に絶縁された状態にあり、また電圧保持回路Ｂに保持された端子電圧は差動増幅器Ｄ側には供給されない。
【００１７】
続いて、スイッチ回路Ａ−１をオフ状態に制御する（ステップＳ０３）。これにより、セルＶ１〜Ｖ１１０側と電圧保持回路Ｂとの間が電気的に絶縁される。このとき、スイッチ回路Ｃもオフ状態にあるから、電圧保持回路Ｂを構成するコンデンサＣＰ１〜ＣＰ５はフローティング状態で端子電圧を保持する。
続いて、スイッチ回路Ｃをオン状態に制御する（ステップＳ０４）。これにより、電圧保持回路Ｃを構成するコンデンサＣＰ１〜ＣＰ５の各電極がスイッチ回路Ｃを介して差動増幅器Ｄの入力部に接続される。このとき、スイッチ回路Ａ−１〜Ａ−２２はオフ状態に制御されているから、セルＶ１〜Ｖ１１０側と差動増幅器Ｄ側との間の電気的絶縁が維持される。
【００１８】
続いて、差動増幅器Ｄが、スイッチ回路Ｃを介して電圧保持回路Ｂから入力した端子電圧を差動増幅し、この差動増幅された端子電圧をＡ／Ｄ変換器Ｅがアナログ／デジタル変換する（ステップＳ０５）。この結果、Ａ／Ｄ変換器ＥからセルＶ１〜Ｖ５の電圧を表すデータが出力される。この後、スイッチ回路Ｃをオフ状態に制御する（ステップＳ０６）。以上でセルＶ１〜Ｖ５の電圧が得られた。続いて、変数ｎに「１」を加算してインクリメントすることにより変数ｎに「２」を設定し（ステップＳ０７）、この変数ｎの値が、最大値である「２２」以下であるか否かを判断する（ステップＳ０８）。
【００１９】
いま、変数ｎには「１」が設定されているから、変数ｎが「２２」以下であると判断される（ステップＳ０８；ＹＥＳ）。この場合、処理はステップＳ０２に戻され、スイッチ回路Ａ−２（ｎ＝２）が新たに制御対象とされて上述と同様の処理が実行される。これにより、スイッチ回路Ａ−２に接続されたセル６〜Ｖ１０の端子電圧が電圧保持回路Ｂに保持され、スイッチ回路Ｃを介して差動増幅器Ｄに供給されて、セルＶ６〜Ｖ１０の電圧が測定される。以後、変数ｎが順次インクリメントされ、最後のスイッチ回路Ａ−２２（ｎ＝２２）が制御対象とされ、セルＶ１０６〜Ｖ１１０の電圧が測定される。そして、ステップＳ０７において変数ｎがインクリメントされて変数ｎの値が「２３」となる。従って、変数ｎの値が「２２」以下ではないと判断され（ステップＳ０８；ＮＯ）、上述のステップＳ０２〜Ｓ０８による一連のループ処理から抜け出る。
【００２０】
続いて、上述とは逆にスイッチ回路Ａ−２２からスイッチ回路Ａ−１に向かって順に制御対象とされ、同様にセル電圧の測定が行われる（ステップＳ０９〜Ｓ１６）。即ち、変数ｎに「２２」を設定し（ステップＳ０９）、制御対象をスイッチ回路Ａ−２２（ｎ＝２２）に設定した上で、このスイッチ回路Ａ−２２をオン状態に制御する（ステップＳ１０）。これにより、セルＶ１０６〜Ｖ１１０の端子電圧がスイッチ回路Ａ−２２および配線Ｈ１〜Ｈ６を介して電圧保持回路Ｂに供給され、この電圧保持回路ＢにセルＶ１０６〜Ｖ１１０の端子電圧が保持される。
【００２１】
続いて、スイッチ回路Ａ−２２をオフ状態に制御し（ステップＳ１１）、スイッチ回路Ｃをオン状態に制御する（ステップＳ１２）。これにより、電圧保持回路Ｂを構成するコンデンサＣＰ１〜ＣＰ５の各電極がスイッチ回路Ｃを介して差動増幅器Ｄの入力部に接続される。差動増幅器Ｄは、スイッチ回路Ｃを介して電圧保持回路Ｂから端子電圧を入力して差動増幅し、これをＡ／Ｄ変換器Ｅがアナログ／デジタル変換する（ステップＳ１３）。この結果、Ａ／Ｄ変換器ＥからセルＶ１０６〜Ｖ１１０の電圧を表すデータが出力される。この後、スイッチ回路Ｃをオフ状態に制御する（ステップＳ０６）。
【００２２】
続いて、変数ｎから「１」を減算してデクリメントすることにより変数ｎに「２１」を設定し（ステップＳ１５）、この変数ｎの値が、最小値である「１」以上であるか否かを判断する（ステップＳ１６）。いま、変数ｎには「２１」が設定されているから、変数ｎは「１」以上であると判断される（ステップＳ１６；ＹＥＳ）。この場合、処理はステップＳ１０に戻され、スイッチ回路Ａ−２１（ｎ＝２１）があらたに制御対象とされて上述と同様の処理が実行される。以後、変数ｎが順次デクリメントされ、最後のスイッチ回路Ａ−１（ｎ＝１）が制御対象とされて所定の測定がなされると、ステップＳ１６において変数ｎがインクリメントされる。この結果、変数ｎの値が「０」となり、「１」よりも小さくなる（ステップＳ１６；ＮＯ）。この場合、処理は最初のステップＳ０１に戻され、以降、同様の処理が繰り返し実行される。
【００２３】
上述の一連の動作において、スイッチ回路Ａ−１〜Ａ−２２は、直列接続された複数個のセルＶ１〜Ｖ１１０のうち、一端側に位置するセルＶ１と他端側に位置するセルＶ１１０との間を往復するようにして、５個（所定数）のセルを単位としてセルを順次的に選択する。このため、スイッチ回路Ａ−ｎが切り替わる際に、測定対象として選択されるセル間の電位差は、この例の場合、常に約１８Ｖ（３．６Ｖ×５個）程度に小さく維持される。従って、スイッチ回路の切り替え時に配線Ｈ１〜Ｈ６の浮遊容量に高電圧が印加されることがなく、この浮遊容量の充放電電流として抵抗Ｒ１〜Ｒ６を流れるリーク電流が小さく抑えられ、抵抗Ｒ１〜Ｒ６での電圧降下が抑えられる。よって、スイッチ回路Ａ−１〜Ａ−２２の制御周期を短くし、その動作周波数を上げたとしても、セルＶ１〜Ｖ１１０の端子電圧をそのまま電圧保持回路Ｂに伝達することができ、精度よくセル電圧を測定することが可能になる。
【００２４】
ここで、仮に、上述の図２に示すステップＳ０８の後、ステップＳ０１に処理を戻すものとした場合、配線Ｈ１〜Ｈ６の電圧は、グランド電位に近いセルＶ１０６〜Ｖ１１０の端子電圧から４００Ｖ近傍のセルＶ１〜Ｖ５の端子電圧に急激に変化する。このため、この配線Ｈ１〜Ｈ６の浮遊容量に対して大振幅の電圧が印加され、過大な充放電電流が抵抗Ｒ１〜Ｒ６を流れることになる。しかしながら、この実施の形態１によれば、セルＶ１とセルＶ１１０との間を往復するようにしてセルが順次選択されるので、配線に大振幅の電圧が印加されることがなく、その充放電電流に起因した弊害を防止することが可能になる。
【００２５】
（実施の形態２）
以下、この発明の実施の形態２を説明する。
上述の実施の形態１では、５個のセルを単位としてセル電圧を測定するように構成したが、この実施の形態では１個のセルを単位として測定する。図３に、この実施の形態２に係る電圧モニタ装置の構成を示す。同図に示すように、セルＶ１〜Ｖ１１０には、１対１でスイッチ回路ａ−１〜ａ−１１０が設けられる。また、各スイッチ回路は保護用の抵抗ＲＡ，ＲＢとスイッチＳＷＡ，ＳＷＢから構成される。これら抵抗ＲＡ，ＲＢおよびスイッチＳＷＡ，ＳＷＢは、前述の図１に示す抵抗Ｒ１〜Ｒ６およびスイッチＳＷ１〜ＳＷ６に対応するものである。
【００２６】
スイッチＳＷＡ，ＳＷＢは、配線ＨＡ，ＨＢを介して電圧保持回路ｂに接続される。この電圧保持回路ｂは１個のコンデンサから構成され、このコンデンサは配線ＨＡと配線ＨＢとの間に接続される。このコンデンサの電極は、スイッチ回路ｃを介して差動増幅器ｄの入力部に接続され、差動増幅器ｄの出力部はＡ／Ｄ変換器ｅの入力部に接続される。これら電圧保持回路ｂ、スイッチ回路ｃ、差動増幅器ｄ、およびＡ／Ｄ変換器ｅは、前述の図１に示す電圧保持回路Ｂ、スイッチ回路Ｃ、およびＡ／Ｄ変換器Ｅに対応する。
【００２７】
この実施の形態２によれば、スイッチ回路ａ−１〜ａ−１１０により、セルＶ１〜Ｖ１１０の中から１個のセルが選択され、その端子電圧が電圧保持回路ｂに保持される。そして、この端子電圧が差動増幅器ｄにより差動増幅されてＡ／Ｄ変換器ｅに供給され、このセルの電圧を表すデータが得られる。スイッチ回路ａ−１〜ａ−１１０の制御については基本的には前述の実施の形態１に係るスイッチ回路Ａ−１〜Ａ−２２と同様である。
この実施の形態２によれば、上述の実施の形態１に比較して、スイッチ回路ａ−ｎを切り替える際に配線ＨＡ，ＨＢに加えられる電圧振幅を１個のセルの電圧にまで小さく抑えることが可能になる。従って配線ＨＡ，ＨＢの浮遊容量の充放電電流による弊害を一層有効に防止することが可能になる。
【００２８】
以上、この発明の実施の形態を説明したが、この発明は、上述の実施の形態に限られるものではなく、この発明の要旨を逸脱しない範囲の設計変更等があっても本発明に含まれる。例えば、上述の実施の形態では５個または１個の所定数のセルを単位としてスイッチ回路により選択するものとしたが、これに限定されることなく、どのような個数を選択の単位として設定してもよい。
また、図２に示すステップＳ０８において、変数ｎの値が最大値「２２」以下（ｎ≦２２）であるか否かを判断するものとしたが、変数ｎの値が、最大値「２２」より小さい（ｎ＜２２）か否かを判断するものとしてもよく、変数ｎと最大値との大小関係を判断するものであればよい。同様に、ステップＳ１６において、変数ｎの値が最小値「１」以上であるか否かを判断するものとしたが、変数ｎの値が最小値「１」より大きい（ｎ＞１）か否かを判断するものとしてもよく、変数ｎと最小値との大小関係を判断するものであればよい。
【００２９】
【発明の効果】
以上説明したように、この発明によれば、直列接続された複数個のセルのうち、所定数のセルの端子を選択し、このセルと同数のコンデンサによりセルの端子電圧を保持して測定するようにしたので、モニタすべき組電池のセル数が増加しても、装置構成の規模の増加を最小限に抑えることができる。
【図面の簡単な説明】
【図１】この発明の実施の形態に１係る電圧モニタ装置の構成を示す図である。
【図２】この発明の実施の形態１に係る電圧モニタ装置の動作の流れを示すフローチャートである。
【図３】この発明の実施の形態に２係る電圧モニタ装置の構成を示す図である。
【図４】従来技術に係る電圧モニタ装置の構成を示す図である。
【符号の説明】
Ａ−１〜Ａ−２２，ａ−１〜ａ−１１０，Ｃ，ｃ；スイッチ回路（第１のスイッチ回路）、Ｂ，ｂ；電圧保持回路、ＣＰ１〜ＣＰ５；コンデンサ、Ｄ、ｄ；差動増幅器Ｄ、Ｅ，ｅ；Ａ／Ｄ変換器、Ｒ１〜Ｒ６，ＲＡ，ＲＢ；抵抗、ＳＷ１〜ＳＷ６，ＳＷＡ，ＳＷＢ；スイッチ。
【図１】
2004085208.tif 000003
【図２】
2004085208.tif 000004
【図３】
2004085208.tif 000005
【図４】
2004085208.tif 000006